(57)【特許請求の範囲】
【請求項１】
製品シリーズ毎に異なる顧客仕様のコード体系を解析し、定められたユニットを検索できるようにする仕組の顧客仕様解析部と、全てのユニット毎の仕様が整理された情報から、前記顧客仕様解析部によって解析された情報により前記顧客仕様に合致したユニットを特定するユニット識別番号特定部と、前記顧客仕様のオーダ番号の下位品目としてオーダ別ユニット部品表を作成するオーダ別ユニット部品表作成部と、オリジナル部品表を介して、ユニット品目の下位品目を検索し、オーダ別部品表を作成するオーダ別部品表作成部と、を備え、
テーブルとして、前記製品シリーズ毎に異なる前記コード体系を有する前記顧客仕様から、前記定められたユニット毎仕様を解析するためのコード解析マスタと、前記顧客仕様から前記ユニット毎の全ての仕様を予め整理して記憶する仕様展開マスタと、前記ユニット品目の下位品目を記憶したオリジナル部品表と、
を備えることを特徴とする、仕様展開技法システム。
【請求項２】
前記仕様展開技法システムは、前記オリジナル部品表を当該システムから直接にデータベースに索引するデータベース索引部を備える、請求項１に記載の仕様展開技法システム。
【請求項３】
前記仕様展開技法システムは、前記オリジナル部品表を当該システムから直接にデータベースに索引することができない場合、前記オリジナル部品表をＣＳＶ形式で当該システムに取り込み、仕様展開するＣＳＶ形式取込部を備える、請求項１または２に記載の仕様展開技法システム。
【請求項４】
前記顧客仕様には少なくとも選択仕様が含まれ、前記選択仕様は、複数の階層を有している、請求項１〜３のいずれか一項に記載の仕様展開技法システム。
【請求項５】
前記選択仕様が、３〜１００の階層を有している、請求項４に記載の仕様展開技法システム。
【請求項６】
前記顧客からの選択仕様が、前記仕様展開マスタにあるか否かを判別する選択仕様マスタ判別部を備える、請求項１〜５のいずれか一項に記載の仕様展開技法システム。
【請求項７】
前記顧客仕様が前記仕様展開マスタにない場合、該当するユニット名を表示するユニット名表示部と、オーダ別部品表に追記登録をする事を促す表示を行う追記登録表示部と、を備える選択仕様マスタ判別部をさらに備える、請求項１〜６のいずれか一項に記載の仕様展開技法システム。
【発明の詳細な説明】
【技術分野】
【０００１】
本発明は、仕様展開技法システムにより、詳しくは、生産管理システムに必要な顧客毎の仕様から部品表を作る手間を自動化して作成する事を目的としたシステムをいう。
【背景技術】
【０００２】
一般に「部品表」とは、製品と組立品、組立品と部品、又は部品と原材料といった品目と品目との関連を示した一覧表及び品目自身の情報のことを意味する。部品表の処理に関する技術については多くの特許出願が行われている。例えば、下記特許文献１には、より簡単に製品を構成する部品の部品表を作成することができる部品表作成システムを提供する技術が開示されている。
【０００３】
この文献では、製品に関する製品情報および複数の部品それぞれに関する複数の部品情報が入力される所定の入力フォーマットへの製品情報および複数の部品情報の入力を受け付ける入力受付部と、入力フォーマットに入力された製品情報若しくは複数の部品情報を予め定められたデータ形式に変換した出力情報を生成する出力処理部と、出力情報を製品の図面に対応付けて登録するＰＤＭシステムに送信する通信部と、ＣＰＵと、を備えたシステムが提案されている。
【先行技術文献】
【特許文献】
【０００４】
【特許文献１】特開２０１５−１０３１６０
【発明の概要】
【発明が解決しようとする課題】
【０００５】
本発明者は、部品表を作成することにおいて、現状においては下記のような課題があることを見出した。すなわち、製品は、多くの機能から構成され、機能ごとの部品の集まりをユニットという。ユニットには、多くの機能の種類が存在する。例えば、車の例では、ユニットには、「ハンドル周り」、「タイヤ周り」、「シート周り」、「エンジン周り」等々多くの選択ユニットが存在する。さらに、ユニット毎には「ハンドル周り」では、木製・皮製・樹脂製等々の選択仕様があり、また、「タイヤ」であればラジアル、雪用、通常用等々の選択仕様がある。
【０００６】
顧客仕様は、ハンドル周りならユニット毎に皮製、木製、樹脂製等の選択仕様を選び注文する。このため従来の部品表では、製品を示す「型番コード」は、多くのユニットの選択とユニット毎の仕様の「種類」の乗算となるので、膨大な数の整理不可能な型番コードを作ることになる。
【０００７】
そのため、整理が困難で、頻繁に受注する仕様の組合せの型番コードしか実際は整理できず、それ以外の仕様の組合せについては、人が、受注の都度、型番コードと製品構成とを逐一作成する必要があり、膨大な時間と、受注毎に１週間程度の期間を要していた。
【０００８】
つまり、顧客の仕様に係る型番コードを、その都度作成する工数により顧客納期の長期化を招いていた。
【０００９】
なお、一般に知られている生産管理システムは、注文書・製造指図書の発行を自動化するものであるが、適切に管理された部品表が無ければ、自動化は不可能になる。このため部品表の存在は生産管理システムには不可欠なもので、部品表を作る手間とその利用度を踏まえた部品表の作成・精度維持は生産管理システムの成否を左右するほど重要なものである。
【００１０】
従来の部品表では、製品を示す「型番コード」は、多くのユニットの選択とユニット毎の仕様の「種類」の乗算となるので、膨大な数の整理不可能な型番コードを作ることになり、型番コードが人手で入力されていることによってオーダ別部品表の作製に膨大な時間を要し、ひいては顧客納期の長期化を招くという問題があった。
【００１１】
本発明の目的は、上記課題を解決できる仕様展開技法システムを提供することにある。
【００１２】
この発明の上記課題を解決する具体的かつ概略的手段を示すと、以下の通りである。
（ａ）人が、型番コードと製品構成を、逐一作成する手間を自動化し、システムが、型番コードの創生と顧客仕様から選択したユニットの特定、およびその下位品目の構成を作成できる手段からなる仕様展開技法システムを提供する。
（ｂ）前述（ａ）項を、受注毎のオーダ別部品表として自動作成される手段からなる仕様展開技法システムを提供する。
（ｃ）顧客仕様に対して該当する仕様がなかった場合にシステムが自動的に対処して、人の介在を具体的に提示し、効率的に部品表を作成できる手段からなる仕様展開技法システムを提供する。
（ｄ）システムがオーダ別部品表を自動的に蓄積することで、型番コードの分類や部品表の見直しに多くの示唆を得ることができ、仕様の標準化・見直しに寄与する手段からなる仕様展開技法システムを提供する。
（ｅ）顧客仕様が発生した場合、過去に全く同じ顧客仕様であっても、それを失念し、新たな製品構成を人手で作ってしまう事が発生する。したがって、同じ顧客仕様が来た場合、重複作成することのない手段からなる仕様展開技法システムを提供する。
【課題を解決するための手段】
【００１３】
本発明は多面的に表現できるが、例えば、代表的なものを挙げると、次のように構成したものである。
本発明の請求項１に係る仕様展開技法システムは、製品シリーズ毎に異なる顧客仕様のコード体系を解析し、定められたユニットを検索できるようにする仕組の顧客仕様解析部と、全てのユニット毎の仕様が整理された情報から、前記顧客仕様解析部によって解析された情報により前記顧客仕様に合致したユニットを特定するユニット識別番号特定部と、前記顧客仕様のオーダ番号の下位品目としてオーダ別ユニット部品表を作成するオーダ別ユニット部品表作成部と、オリジナル部品表を介して、前記ユニット品目の下位品目を検索し、オーダ別部品表を作成するオーダ別部品表作成部と、を備え、テーブルとして、前記製品シリーズ毎に異なる前記コード体系を有する前記顧客仕様から、前記定められたユニット毎仕様を解析するためのコード解析マスタと、前記顧客仕様から前記ユニット毎の全ての仕様を予め整理して記憶する仕様展開マスタと、ユニット品目の下位品目を記憶したオリジナル部品表と、を備える。
【００１４】
本発明の請求項２に係る仕様展開技法システムは、前記オリジナル部品表を当該システムから直接にデータベースに索引するデータベース索引部を備える。
【００１５】
本発明の請求項３に係る仕様展開技法システムは、前記オリジナル部品表を当該システムから直接にデータベースに索引することができない場合、前記オリジナル部品表をＣＳＶ形式で当該システムに取り込み、仕様展開するＣＳＶ形式取込部を備える。
【００１６】
本発明の請求項４に係る仕様展開技法システムは、前記顧客仕様には少なくとも選択仕様が含まれ、前記選択仕様は、複数の階層を有している。
【００１７】
本発明の請求項５に係る仕様展開技法システムは、前記選択仕様が、３〜１００の階層を有している。
【００１８】
本発明の請求項６に係る仕様展開技法システムは、前記顧客からの前記選択仕様が、前記仕様展開マスタにあるか否かを判別する選択仕様マスタ判別部を備える。
【００１９】
本発明の請求項７に係る仕様展開技法システムは、前記顧客仕様が前記仕様展開マスタにない場合、該当するユニット名を表示するユニット名表示部と、オーダ別部品表に追記登録をする事を促す表示を行う追記登録表示部と、を備える選択仕様マスタ判別部をさらに備える。
【発明の効果】
【００２０】
本発明の請求項１に係る発明によれば、顧客仕様解析部が、製品シリーズ毎に異なる顧客仕様のコード体系を解析し、定められたユニットを検索できるようにする。ユニット識別番号特定部は、全てのユニット毎の仕様が整理された情報から、顧客仕様解析部によって解析された情報により顧客仕様に合致したユニットを特定する。オーダ別ユニット部品表作成部は、顧客仕様のオーダ番号の下位品目としてオーダ別ユニット部品表を作成する。オーダ別部品表作成部は、ユニット品目の下位品目を記憶したオリジナル部品表を検索し、オリジナル部品表を介して、オーダ別部品表を作成する。
このような処理をシステムが行うので、（ａ）人が、型番コードと製品構成を、逐一作成する手間を自動化し、システムが、型番コードの創生と顧客仕様から選択したユニットの特定、およびその下位品目の構成を作成できる仕様展開技法システムを提供することができる。また、（ｂ）前述（ａ）項を、受注毎のオーダ別部品表として自動作成される効果が得られる。
生産管理導入企業では、通常基幹システムとして「部品表管理システム」は必ず存在する。そのため「オリジナル部品表」に相当する「部品表」が、既に存在し運用されている。この時、前述課題の人手による構成情報、品目情報を作成していることになる。そのため、仕様展開技法システムは、基幹システムの部品表を当該システムから直接にデータベースに索引する方式と、データベースに直接索引出来ない場合、当該システムに、ＣＳＶ形式で取り込み仕様展開できる効果を有する。
【００２１】
本発明の請求項２に係る発明によれば、基幹システムの「外付システム」として導入することができ、基幹システムを経済的に運用することができる効果を有する。
【００２２】
本発明の請求項３に係る発明によれば、「オーダ別部品表」をＣＳＶ形式に変換し、基幹システムに引渡を行い、基幹システムの部品表に基幹システムにて部品表に統合することができる効果を有する（基幹システムの部品表を直接に更新する事は、事故につながる危険性があるため）。
【００２３】
本発明の請求項４および５に係る発明によれば、顧客仕様には選択仕様が３〜１００段階の階層を有していることによって、大きな分類から小さな分類まで表現でき、概念性を高めることができる効果が得られる。
【００２４】
本発明の請求項６に係る発明によれば、選択仕様マスタ判別部を備えることで、選択仕様マスタ判別部が、顧客からの選択仕様が仕様展開マスタにあるか否かを自動的に判別することができ、システムが自動的に対処し、人の介在を具体的に提示し、効率的に部品表を作成することができる効果が得られる。
【００２５】
本発明の請求項７に係る発明によれば、顧客仕様が仕様展開マスタにない場合、選択仕様マスタ判別部のユニット名表示部が、該当するユニット名を表示することができ、対応処理を効率化でき、追記登録表示部が、オーダ別部品表に追記登録をする事を促す表示を行うことができ、対応処理を効率化でき、システムが自動的にオーダ別部品表を蓄積することで、型番コードの分類や部品表の見直しに多くの示唆を得ることができ、仕様の標準化・見直しに寄与することができる効果が得られる。
【００２６】
また、顧客仕様が発生した場合、過去に全く同じ顧客仕様であっても、それを失念し、新たな製品構成を人手で作ってしまうことが発生する。本発明の請求項７に係る発明であれば、同じ顧客仕様が来た場合、重複作成することがない効果が得られる。
【図面の簡単な説明】
【００２７】
図面は、いずれも本発明の実施形態の説明図である。
【図１】本発明の第１実施形態に係る仕様展開技法システムのブロック図である。
【図２】本システムにおいて、注文者が行う処理の一例を示すフローチャートである。
【図３】本システムにおいて、仕様展開技法システムサーバが行う処理の一例を示すフローチャートである。
【図４】仕様展開の概念の一例を模式的に説明するための図である。
【図５】製品の仕様コードの一例を示す図である。
【図６】仕様展開の具体例を模式的に描いた図である。
【図７】顧客から入力された顧客仕様と仕様展開マスタとの関係を説明するため図である。
【図８】顧客仕様品目選択において選択された品目に基づいてオーダ別ユニット部品表を作成することを説明するための図である。
【図９】図９（ａ）は顧客からの顧客仕様の一例を示す図、図９（ｂ）はオリジナル部品表の一表現形態を示す図、図９（ｃ）もオリジナル部品表の一表現形態を示す図、図９（ｄ）は仕様展開マスタによって顧客からの顧客仕様を整理した図、図９（ｅ）はオーダ別部品表の例を示す図、図９（ｆ）はオーダ別ユニット部品表の例を示す図である。
【図１０】図１０はオーダ別部品表作成部の機能を模式的に説明するための図である。
【図１１】図１１は顧客仕様と仕様展開を用いた部品表の概念図の一例を示す図である。
【図１２】本発明の第２実施形態に係る仕様展開技法システムのブロック図である。
【図１３】本発明の第２実施形態に係る仕様展開技法システムが行う処理の一例を示すフローチャートである。
【発明を実施するための形態】
【００２８】
＜第１実施形態＞
以下、本発明の第１実施形態に係る仕様展開技法システムを図面に基づき説明する。なお、この第１実施形態では、顧客がネットワークを利用した注文サイトにアクセスして、顧客が、上記従来システムにおける入力受付部を介して、製品の注文を行う場合を想定して説明している。しかし、第１実施形態に係る仕様展開技法システムは、ネットワーク等に繋がらず、スタンドアロン型の部品表を扱うコンピュータにも同様に適用が可能である。この場合は、オペレータが電話又はＦＡＸ等で入る注文情報を読み取り、コンピュータに入力する形態、又は読み取りソフトが自動読み取りしてコンピュータに入力する形態が採用できる。
【００２９】
図１は、本実施形態に係る仕様展開技法システムのブロック図である。図１に示すように、本実施形態に係る仕様展開技法システムは、製品注文システムに登録された組織（例えば顧客）のコンピュータから、インターネットやＬＡＮ等のネットワーク１を介してシステムサーバ２にアクセスする。
【００３０】
ネットワーク１にアクセスする端末としては、図１に示すように、顧客Ａの端末３、顧客Ｂの端末４、国・地方公共団体の端末５、システムを運用する内部部署などが有する端末６などが例示できる。また、顧客が本システムを導入すると、顧客に係る部品表の整理や顧客仕様の確認に使用することができる。システムサーバ２には、ネットワーク１との通信に関する各種処理を行う通信制御部７が設けられて、これらの処理をＣＰＵが行っている。
【００３１】
（顧客仕様からユニット毎の仕様に変換）
本実施形態に係る仕様展開技法システムは、製品シリーズ毎に異なる顧客仕様のコード体系を解析し、定められたユニット毎の仕様を検索できるようにする仕組の顧客仕様解析部８と、全てのユニット毎の仕様が整理された情報から、顧客仕様解析部８によって解析された情報により顧客仕様に合致したユニットを特定するユニット識別番号特定部９と、顧客仕様のオーダ番号の下位品目として後述するオーダ別ユニット部品表１５を作成するオーダ別ユニット部品表作成部１０と、オリジナル部品表１４を介して、ユニット品目の下位品目を検索し、オーダ別部品表１６を作成するオーダ別部品表作成部１１と、を備えている。顧客仕様解析部８、ユニット識別番号特定部９、オーダ別ユニット部品表作成部１０およびオーダ別部品表作成部１１が、顧客仕様からユニット毎の仕様に変換するための出力処理部となっている。
【００３２】
本実施形態に係る仕様展開技法システムは、この実現のため、テーブルとして、製品シリーズ毎に異なるコード体系を有する顧客仕様から、定められたユニット毎仕様を解析するためのコード解析マスタ１２と、顧客仕様からユニット毎の全ての仕様を予め整理して記憶する仕様展開マスタ１３と、ユニット品目の下位品目を記憶したオリジナル部品表１４と、を備える。これらのテーブルを介して、オーダ別ユニット部品表１５およびオーダ別部品表１６が作成される。
【００３３】
顧客仕様は、製品のシリーズ毎にコード体系があり、仕様を示す桁位置が異なる。顧客仕様解析部８は、製品シリーズ毎に異なる顧客仕様のコード体系を解析し、定められたユニットを検索できるようにする。ユニット識別番号特定部９は、全てのユニット毎の仕様が整理された情報から、顧客仕様解析部８によって解析された情報により顧客仕様に合致したユニットを特定する。
【００３４】
オーダ別ユニット部品表作成部１０は、顧客仕様のオーダ番号の下位品目としてオーダ別ユニット部品表１５を作成する。オーダ別部品表作成部１１は、ユニット品目の下位品目を記憶したオリジナル部品表１４を検索し、オリジナル部品表１４を介して、オーダ別部品表１６を作成する。
【００３５】
（仕様展開マスタ１３）
本明細書において、「仕様展開マスタ」とは後述する図４〜図１１に示す仕様展開という概念において、製品の選択に係る品目の分類系統を整理する基本情報のことをいう。
【００３６】
従来技術では、例えば、テレビならば、機種（ＸＸシリーズ）があり、その下位に１４型・５０型、ハイビジョン、画質４Ｋ，８Ｋ、据え付けタイプ等の選択仕様の組合せごとに「型番コード」が設定される。
【００３７】
このように選択仕様が限定的で少ない場合は、型番コードをあらかじめ整理し設定することができる。しかし、工作機、輸送機、トンネル用・建機・防爆用照明器具等々の選択においては、カタログ上に仕様項目を掲載し、その選択仕様の組合せは型番コードとして認識することは可能であるが、一つ一つを手入力するには膨大すぎて整理できない場合が多い。
【００３８】
これに対して、本実施形態に係る仕様展開を用いると、前記のようにカタログ上の仕様項目を選択する事により当該システムが型番コードを自動作成する。
【００３９】
オリジナル部品表１４とは、製品を構成する部品のうち、顧客仕様に関わらず必要とする部品の製品構成と、顧客仕様毎に選択されるユニット毎の下位品目の製品構成とが登録された部品表をいう。
【００４０】
図１に示すように、本実施形態において、仕様展開技法システムは、オリジナル部品表１４を当該システムから直接にデータベースに索引するデータベース索引部１７を備える。
【００４１】
図１に示すように、本実施形態において、仕様展開技法システムは、オリジナル部品表１４を当該システムから直接にデータベースに索引することができない場合、オリジナル部品表１４をＣＳＶ形式で当該システムに取り込み、仕様展開するＣＳＶ形式取込部１８を備える。
【００４２】
顧客仕様には少なくとも選択仕様が含まれ、選択仕様は、複数の階層を有している。本実施形態において、選択仕様は、３〜１００の階層を有している。
【００４３】
［注文者の選択仕様製品の注文処理］
図２は、本システムにおいて、注文者が行う処理の一例を示すフローチャートである。まず、ステップＳＰ０１において、注文者は注文サイトにアクセスする。ステップＳＰ０２において、注文者は、例えばカタログから顧客仕様に該当するユニットを選択し、さらにユニット毎の選択仕様を入力する。ステップＳＰ０３において、必要により特記情報を入力し、ステップＳＰ０４において、注文情報をシステムサーバ２に送信する。
【００４４】
ステップＳＰ０３における必要により特記情報を入力する場合に、図４に示すような分類状況を示す概念図や系統図を注文サイトにおいて、顧客が参照できるように構成することもできる。
【００４５】
図３は、本システムにおいて、システムサーバ２が行う処理の一例を示すフローチャートである。まず、ステップＳＰ３１においてシステムサーバ２が顧客からの顧客仕様を含む注文情報を受信する。ステップＳＰ３２において、顧客仕様解析部８は、顧客からの顧客仕様に基づいて、定められたユニット毎仕様を解析するためのコード解析マスタ１２を用いて、製品シリーズ毎に異なるコード体系を有する顧客仕様を解析する。ステップＳＰ３３において、ユニット識別番号特定部９は、顧客仕様解析部８によって解析された顧客仕様から、全てのユニット毎の仕様を予め整理して記憶した仕様展開マスタ１３を検索し、顧客仕様に合致するユニットを選択し、ユニット内の該当する仕様のユニット品目を特定する。ステップＳＰ３４において、ユニット識別番号特定部９は、顧客仕様に合致するユニットを選択し、ユニット内の該当する仕様のユニット品目を特定する。ステップＳＰ３５において、オーダ別ユニット部品表作成部１０は、顧客仕様のオーダ番号の下位品目としてオーダ別ユニット部品表１５を作成する。ステップＳＰ３６において、オーダ別部品表作成部１１は、ユニット品目の下位品目を記憶したオリジナル部品表１４を検索し、オリジナル部品表１４を介して、オーダ別部品表１６を作成する。この時、オリジナル部品表１４により、ユニット品目以外の仕様展開の対象外の共通品目も同時に加え、オーダ別部品表１６が完成される。また、オーダ別部品表１６が完成された時点で、オーダ別部品表１６は、オリジナル部品表１４に統合され、製造手配・購買外注手配等に使用される。
【００４６】
データベース索引部１７は、オリジナル部品表１４を当該システムから直接にデータベースに索引する。あるいは、ＣＳＶ形式取込部１８は、オリジナル部品表１４を当該システムから直接にデータベースに索引することができない場合、オリジナル部品表１４をＣＳＶ形式で当該システムに取り込む。
【００４７】
また、本明細書において「仕様展開」とは、別の表現で言えば、顧客が選択して決定する仕様（外部仕様）から、依頼先（製造元である場合が多い）が把握しやすい内部仕様化するために用いられた製品の属性を分類するための技法とも言える。その機能としては、
（１）品目構成を作成する、
（２）品目の「規格・寸法」の仕様を作成する、
（３）必要により、製造工程手順も含める、
等の考慮すべき項目がある。
【００４８】
[仕様展開の考え方]
以下図面を参照して、本実施形態に係る仕様展開の考え方について説明する。図４は、仕様展開の概念を模式的に説明するための図である。ペンを一例として挙げている。そのペンにおいて３層の分類の階層（レベル０〜２）が設けられている。
【００４９】
レベル０では製品としての品目が示してある。レベル１では、製品を構成する品目が、キャップ（ＣＡＰ）、本体部（ＢＯＤＹ  ＵＮＩＴ）、内部挿入部品（ＭＥＣＨＡ  ＵＮＩＴ）の３種類に分類されている。レベル２では、キャップＶＣ００１がそれぞれの構成部品Ｃ００１〜Ｃ００４に分類され、本体部ＶＢ００１がそれぞれの構成部品Ｂ００１〜Ｂ００５に分類され、内部挿入部品ＶＭ００１がそれぞれの構成部品Ｍ００１〜Ｍ００６に分類されている。なお、図４において、＊が付された部品が選択仕様に係る品目を示している。
【００５０】
図５は仕様コードの一例を示す図である。図５に示すように、このペンに係る事例では機種として、「メカニカルペンシル」と「多機能ペン」の２種類があり、キャップの色として５種類の色（ブラック、ブルー、グリーン、レッド、ホワイト）があり、本体部の色として５種の色（ブラック、ブルー、グリーン、レッド、ホワイト）があり、芯太さとして４種の太さ（０３，０５，０７，０９）があり、芯硬度として３種類の硬さ（Ｈ，ＨＢ，Ｂ）がある例が示してある。
【００５１】
図６は、テーブル化された仕様展開マスタ１３による具体例を模式的に描いた図である。図６に示すように、ペン製品はキャップ（ＣＡＰ）５種のユニットと、本体部（ＢＯＤＹ）５種のユニットと、内部挿入部品（ＭＥＣＨＡ）７種のユニットに分類されている。
【００５２】
ＣＡＰユニット５種には共通３点と選択１点の品目があり、ＢＯＤＹユニット５種には共通３点と選択１点の品目があり、ＭＥＣＨＡユニット７種には共通４点と選択３点の品目がある。
【００５３】
図５および図６に示すように、ユニット中心における機種２種を含む構成マスタは、（２＋５＋５＋４＋３）の１９種となる。一方、製品中心における構成マスタは（２×５×５×４×３）の６００種にもなる。このようなペンのように構成品目の少ない簡単な製品でも６００種の型番コードが付けられ、型番コードを必要に応じて逐一人手で入力しているのが現状である。
【００５４】
図７は、顧客から発信された顧客仕様を、仕様展開マスタ１３を参照して、項目毎の仕様を選択した状態を示している。このような処理は、システムのユニット識別番号特定部９が、顧客仕様解析部８によって解析された顧客仕様から、ユニット毎の全ての仕様を予め整理して記憶した仕様展開マスタ１３を検索し、顧客仕様に合致するユニットを選択し、ユニット内の該当する仕様のユニット品目を特定することで行われる。
【００５５】
次いで、図８に示すように、オーダ別部品表作成部１１は、オリジナル部品表１４を使用し、ユニットの下位品目を自動的に取り入れる。
【００５６】
即ち、オーダ別部品表作成部１１が、ユニット品目の下位品目を記憶したオリジナル部品表１４を検索し、オリジナル部品表１４を介して、オーダ別部品表１６を作成する。
【００５７】
図９（ａ）は、顧客からの顧客仕様の一例を示す図、図９（ｂ）はオリジナル部品表１４の一表現形態を示す図、図９（ｃ）もオリジナル部品表１４の一表現形態を示す図、図９（ｄ）は、仕様展開マスタ１３によって顧客からの顧客仕様を整理した図、図９（ｅ）はオーダ別部品表１６の例を示す図、図９（ｆ）はオーダ別ユニット部品表１５の例を示す図である。
オリジナル部品表１４とは、選択仕様ユニットと共通仕様ユニットの二つで構成される。選択仕様ユニットは、それを構成する下位品目を受注仕様により、選択が出来る品目をもつ。それらの品目は、仕様展開マスタ１３により定まる。
【００５８】
図９（ａ）に示すように、顧客の仕様展開の考え方に基づいて、注文サイト等から注文情報を入力すると、例えば、本システムは、図９（ｄ）に示すように仕様展開マスタ１３に基づいて、顧客仕様に係る品目を抽出して、図９（ｆ）に示すようなオーダ別ユニット部品表１５、図９（ｅ）に示すようなオーダ別部品表１６の情報を生成する。
【００５９】
具体的に説明すると、図９（ｂ）に示すオリジナル部品表１４には、「選択仕様Ａ」「選択仕様Ｂ」が存在しており、「選択仕様Ａ」内には「ａ，ｂ，ｃ，ｄ，ｅ」の選択品目が存在し、「選択仕様Ｂ」には「ｆ，ｇ，ｈ，ｉ，ｊ」の選択品目が存在している。
【００６０】
ここで、図９（ｃ）に示すように、顧客からの顧客仕様が「選択仕様Ａ」では「ｂ」を選択し、「選択仕様Ｂ」では「ｉ」を選択することによって、図９（ｄ）に示す仕様展開マスタ１３に基づいて、図９（ｅ）に示すようなオーダ別部品表１６を作成することになる。
【００６１】
図１０は、オーダ別部品表作成部１１の機能を模式的に説明するための図である。オーダ別部品表作成部１１は前記したように、ユニット識別番号特定部９において特定された顧客仕様に合致したユニットに基づいて、オリジナル部品表１４を介して、ユニット品目の下位品目を検索し、オーダ別部品表１６を作成する機能がある。
【００６２】
図１０において、一点鎖線２０で囲まれた部分が選択仕様に係る選択によって特定された品目であり、一点鎖線２１で囲まれた部分が共通仕様に係る選択によって特定された品目である。選択仕様に係る項目が多いほど、人手による入力は煩雑を極めるので、実用上の利点は大きなものとなる。
【００６３】
図１１は、顧客仕様と仕様展開を用いた部品表の概念図の一例を示す図である。製品レベルの企画段階から、ユニットの作成及びユニット毎の選択仕様の設定を行い、仕様展開マスタ１３に整理する。製品毎に顧客仕様に左右されない共通ユニット、共通品目及びユニット毎の選択仕様の下位品目は、オリジナル部品表１４に整理される。受注による顧客仕様から仕様展開マスタ１３を使用した仕様展開ロジックでユニットを特定し、オリジナル部品表１４によりオーダ別部品表１６を作成する。
【００６４】
＜第２実施形態＞
以下、本発明の第２実施形態に係る仕様展開技法システムを図面に基づき説明する。この第２実施形態は、第１実施形態に必要に応じて付加されるシステムである。
【００６５】
（顧客仕様が予め用意された仕様展開マスタにない場合）
仕様展開技法システムは、顧客からの選択仕様が、仕様展開マスタ１３にあるか否かを判別する選択仕様マスタ判別部１９を備える。
【００６６】
図１２に示すように、顧客仕様が仕様展開マスタ１３にない場合、すなわち、選択仕様マスタ判別部１９が、顧客からの選択仕様が仕様展開マスタ１３にないと判定する場合、該当するユニット名を表示し、オーダ別部品表１６に追記登録をすることを促す表示を行う選択仕様マスタ判別部１９を備える。換言すれば、選択仕様マスタ判別部１９は、該当ユニット名を表示し、オーダ別部品表１６に追記登録をする事を促す表示を行う。
【００６７】
図１３は、図１２に示す選択仕様マスタ判別部１９が行う処理の一例を示すフローチャートである。まず、ステップＳＰ５１において、選択仕様マスタ判別部１９が、顧客仕様が仕様展開マスタ１３に存在するか否かを判別する。顧客仕様が仕様展開マスタ１３に存在しないと判別した場合（ステップＳＰ５１のＮＯ）は、ステップＳＰ５２において、ユニット名表示部２１が、該当するユニット名を表示する。ステップＳＰ５３において、追記登録表示部２２が、必要に応じてオーダ別部品表１６に追記登録をすることを促す表示を行って、一連の処理に戻る。
【００６８】
また、選択仕様が存在すると判別した場合（ステップＳＰ５１のＹＥＳ）は、ステップＳＰ５４において、通常のオーダ別部品表１６を作成する処理を行って、一連の処理に戻る。
【００６９】
本発明は上記実施形態以外にも本発明の要旨を変更しない範囲で種々の変形を行うことが可能である。
（１）例えば前記実施形態では部品が物の製品に係るものを対象にして説明したが、物品だけでなく、治療法に用いる薬剤等の整理、多種多様な生体細胞の培養の手順等における管理にも使用できる。つまり、本発明に係る「部品表」は各種の利用分野において、部分と全体、又は個別の手順と全体などの整理にも適用できるものである。
（２）また、本発明の適用分野は顧客と製造元の取引において、顧客仕様を製造元に正しく伝える情報伝達用途に優れ、適用業種は多種少量生産、マスカスタマイズ生産を実施している自動車、工作機、建機、産業用照明器具等々多岐に及ぶ。
【産業上の利用可能性】
【００７０】
本発明は、製造現場で使用される部品表に適用可能であり、従来の部品表では、製品を示す「型番コード」は、多くのユニットの選択とユニット毎の仕様の「種類」の乗算となるので、膨大な数の整理不可能な型番コードを作ることになるが、この発明システムでは、型番コードの入力が自動化され、選択仕様に係る発注作業を効率化できるとともに、受注側の処理においても部品表を従来のように人手をかけずにオーダ別部品表を作成できるので、作業効率の短縮化ができ、産業上の利用価値が高い発明である。
【符号の説明】
【００７１】
７…通信制御部  ８…顧客仕様解析部  ９…ユニット識別番号特定部  １０…オーダ別ユニット部品表作成部  １１…オーダ別部品表作成部  １２…コード解析マスタ  １３…仕様展開マスタ  １４…オリジナル部品表  １５…オーダ別ユニット部品表  １６…オーダ別部品表  １７…データベース索引部  １８…ＣＳＶ形式取込部  １９…選択仕様マスタ判別部  ２１…ユニット名表示部  ２２…追記登録表示部
【要約】      （修正有）【課題】オーダ別部品表を自動で作成する仕様展開技法システムを提供する。【解決手段】製品注文システムに登録された組織（顧客Ａ、顧客Ｂ、国・地方公共団体、内部部署）のコンピュータから、ネットワーク１を介してシステムサーバ２にアクセスする仕様展開技法システムにおいて、システムサーバ２は、製品シリーズ毎に異なる顧客仕様のコード体系を解析し、定められたユニットを検索できるようにする仕組の顧客仕様解析部８と、全てのユニット毎の仕様が整理された情報から、顧客仕様解析部８によって解析された情報により顧客仕様に合致したユニットを特定するユニット識別番号特定部９と、顧客仕様のオーダ番号の下位品目としてオーダ別ユニット部品表を作成するオーダ別ユニット部品表作成部１０と、オリジナル部品表を介して、ユニット品目の下位品目を検索し、オーダ別部品表を作成するオーダ別部品表作成部１１と、を備える。【選択図】図１【図１】
0006969824.tif 000002
【図２】
0006969824.tif 000003
【図３】
0006969824.tif 000004
【図４】
0006969824.tif 000005
【図５】
0006969824.tif 000006
【図６】
0006969824.tif 000007
【図７】
0006969824.tif 000008
【図８】
0006969824.tif 000009
【図９】
0006969824.tif 000010
【図１０】
0006969824.tif 000011
【図１１】
0006969824.tif 000012
【図１２】
0006969824.tif 000013
【図１３】
0006969824.tif 000014